(57)【特許請求の範囲】
【請求項１】
レセプタクル（２）と、１用量の製品の収集を可能にするために、前記レセプタクルに挿入されるように設計されたピペット（３１）と、を備え、前記ピペットが、前記レセプタクルを閉鎖するための閉鎖部材（３）に接続されたパッケージング・分配装置（１）であって、
前記閉鎖部材には、当該閉鎖部材が前記レセプタクルの閉位置から開位置まで移動する間、前記ピペットに液体を吸引させるように設計されたピストンポンプ（２８）が設けられ、
前記ポンプには、前記閉鎖部材が前記閉位置にないときに製品の前記吸引を可能にするために、押しボタン（５）が備えられ、
前記閉鎖部材が、前記レセプタクルの相補的ネジ山（１７）と連携するためのネジ山（１６）を備え、その結果、前記レセプタクルに対する前記閉鎖部材の外部ケーシングの回転によって、前記ケーシングに対する前記押しボタンの軸方向並進が生じ、
前記閉鎖部材が、ネジリング（１５）を備え、前記ネジリングは、当該ネジリングに対する回転において、前記外部ケーシングを固定化するような長手案内斜面（２０）を有し、同時に、前記ネジリングに対する前記外部ケーシングの並進を可能にし、
前記外部ケーシングが、横ウェブ（１２）によって、内部管状部分（１１）に接続され、前記横ウェブが、前記並進を可能にするために、前記案内斜面と連携することを特徴とする、パッケージング・分配装置。
【請求項２】
前記閉鎖部材が、前記閉位置から前記開位置へ前記移動することによって、前記ピストンの運動および液体の吸引が生じるように設計されていることを特徴とする、請求項１に記載の装置。
【請求項３】
前記押しボタンが、前記閉鎖部材が前記レセプタクル上の前記閉位置にあるとき、前記閉鎖部材に対して退避位置に保持されることを特徴とする、請求項１または２に記載の装置。
【請求項４】
前記レセプタクルに対する前記閉鎖部材の前記外部ケーシングの前記回転によって、付随して、前記閉鎖部材が前記レセプタクルに対して螺合解除され、前記外部ケーシングに対する前記押しボタンの前記軸方向並進が生じることを特徴とする、請求項１から３のいずれか一項に記載の装置。
【請求項５】
前記押しボタンが、前記管状部分の区域内部でスライド可能に挿入された前記ピストンに接続され、前記ピペットが、前記管状部分の延長に取り付けられることを特徴とする、請求項１から４のいずれか一項に記載の装置。
【請求項６】
前記押しボタンが、スナップ嵌合で前記ネジリングに保持されることを特徴とする、請求項１から５のいずれか一項に記載の装置。
【請求項７】
前記押しボタンと前記外部ケーシングとの間で張力をかけたバネ（２６）を備えることを特徴とする、請求項１から６のいずれか一項に記載の装置。
【請求項８】
前記レセプタクルには、前記閉鎖部材を前記閉位置に保持するために、前記閉鎖部材上にスナップ嵌合で係合することができるフレキシブルなタブ（１０１）が設けられ、これにより、前記レセプタクルに対して当該フレキシブルなタブを押し込むと、前記閉鎖部材を外すことが可能になり、前記開位置へ移動できるようになることを特徴とする、請求項１から７のいずれか一項に記載の装置。
【発明の詳細な説明】
【技術分野】
【０００１】
本発明は、流体成分をパッケージングし、ピペットを用いてこの流体成分を分配するための装置に関する。本発明は、より詳細には、製品が用量形態で供給されなければならない化粧品をパッケージングするための装置の分野で使用される。
【０００２】
「化粧品」は、１９９３年６月１４日付け理事会指令９３／３５／ＥＥＣで定義されるような製品として理解される。
【背景技術】
【０００３】
従来技術において、特許文献１は、レセプタクルおよび閉鎖部材を備えるパッケージング／塗布装置を開示し、閉鎖部材は、ブラシなどの塗布部材が分配用端部に設けられたピペットを備える。この装置は、ピペットを１用量の製品で満たすために、ピペットに配置されたピストンを引っ張り、第２段階で、この用量の塗布を可能にするために、閉鎖部材を螺合解除することを開示している。そのような装置を使用する者は、ピストンを引っ張り、その後、螺合解除する２つの連続する手順を実施するという課題に直面する。
【０００４】
同様に、特許文献２に開示されるような装置によって製品を塗布する使用者は、２つの手順という同一の課題に直面し、この場合、バルブ(bulb)の操作によって１用量が満たされる。
【０００５】
特許文献３の開示から、パッケージング／塗布装置は、閉鎖部材をレセプタクルから分離させ、同時に、閉鎖部材に接続された管状部分を満たすことが単一の手順で可能であるということで既知である。製品は、毛管現象によって、この管状部分に保持される。この種の装置もまた、少量の製品を満たすことだけを可能にする限りにおいて、課題を提起し、管状部分を再度満たすことを可能にするために、閉鎖部材を完全な閉位置に戻す必要がある。さらに、この装置はまた、蓄えられることになる支持体の毛管現象により少量を分配することのみを可能にする。
【０００６】
したがって、レセプタクルを開くときに使用者による特定の手順なしで、少なくとも１用量の収集を可能にするパッケージング／塗布装置が必要である。さらに、閉鎖部材をレセプタクルの閉位置に戻す必要なく、閉鎖部材に接続されたピペットを再度満たすことが可能であるような装置が必要である。最終的には、閉鎖部材がレセプタクル上の閉位置に戻るときに、収容している用量が少なくとも部分的に取り除かれるピペットが必要である。
【先行技術文献】
【特許文献】
【０００７】
【特許文献１】欧州特許出願公開第０２４８３４５号明細書
【特許文献２】国際公開第２００９／０４８２２４号パンフレット
【特許文献３】仏国特許出願公開第２９２４６９６号明細書
【発明の概要】
【発明が解決しようとする課題】
【０００８】
本発明の目的は、レセプタクルと、１用量の製品の収集を可能にするために、レセプタクルに挿入されるように設計されたピペットと、を備え、ピペットが、レセプタクルを閉鎖するための閉鎖部材に接続されたパッケージング／分配装置であって、閉鎖部材には、この閉鎖部材がレセプタクルの閉位置から開位置まで移動する間、ピペットに液体を吸引させるように設計されたピストンポンプが設けられ、ポンプには、閉鎖部材が閉位置にないときに、製品の吸引および排出を可能にするために、押しボタンが備えられることを特徴とする、装置を利用可能にすることによって、上記課題のうちの少なくとも１つを解決することである。
【課題を解決するための手段】
【０００９】
このようにして、使用者は、過剰な手順を行う必要がなく、単にパッケージング装置を開くことによって、すでに製品が満たされたピペットにアクセスすることが可能となる。
【００１０】
開位置には、レセプタクルともはや接触していない閉鎖部材の位置、およびレセプタクル上の閉鎖部材の中間位置も含まれ、この中間位置は、閉鎖部材がこの中間位置にあるときに閉鎖部材の自由端での簡単な手による牽引によって、閉鎖部材とレセプタクルとが互いから接続解除できることを特徴とする。開位置には、簡単な並進相対運動によって、閉鎖部材をレセプタクルから分離することができる位置も含まれる。実際、閉位置は、閉鎖部材が保持する接続手段とレセプタクルが保持する相補的接続手段との連携によって特徴付けられると言うことができる。分離可能な位置は、これらそれぞれの接続手段間の連携が存在しないことによって、特徴付けることができる。
【００１１】
有利には、閉鎖部材は、閉位置から開位置へ移動することによって、ピストンの運動および液体の吸引が生じるように設計することができる。
【００１２】
押しボタンは、閉鎖装置がレセプタクル上の閉位置にあるとき、閉鎖装置に対する退避位置に保持することができる。したがって、これにより、装置が閉位置にあるとき、ピペットの不測の作動および過剰な充填が回避される。有利には、閉位置へ戻ることによって、および押しボタンが退避位置に戻ることによっても、ピペットに収容された製品の少なくとも一部を、レセプタクル内に押し戻すことができる。このようにして、まだ供給されていない製品の大部分は、ピペット外においてレセプタクル内に均一に位置する。
【００１３】
閉鎖部材は、レセプタクルの相補的ネジ山と連携するためのネジ山を有することができ、その結果、外部ケーシングのレセプタクルに対する閉鎖部材の回転によって、このケーシングに対する押しボタンの軸方向並進が生じ得る。
【００１４】
外部ケーシングのレセプタクルに対する閉鎖部材の回転によって、付随して、すなわち同時に、閉鎖部材がレセプタクルに対して螺合解除され、外部ケーシングに対する押しボタンの軸方向並進が生じ得る。押しボタンは、この並進によって、突出位置に至ることができ、これによって、押しボタンの作動、したがってポンプ動作が可能になる。適切な場合、閉鎖部材をレセプタクルから完全に分離するために、さらなる螺合解除が行われなければならず、これにより、押しボタンの移動はもはや起こらず、押しボタンは、この螺合解除の中間段階で、突出の最大位置に達することができた。
【００１５】
閉鎖部材は、ネジリングを備えることができ、このネジリングは、外部ケーシングを、このネジリングに対する回転において、固定化するような長手案内斜面を有し、同時に、ネジリングに対する外部ケーシングの並進、およびこの外部ケーシングに対する押しボタンの並進を可能にする。レセプタクルに対する回転で外部ケーシングが駆動すると、ネジリングは、レセプタクルに対する並進で駆動し、そうした理由で、ネジリングに対して潜在的に並進可動な押しボタンは、外部ケーシングに対する並進で駆動する。
【００１６】
機械式駆動機構は、こうして得られ、３つの部品、すなわち外部ケーシング、ネジリングおよびレセプタクルによって、回転運動を並進運動に変換することができる。
【００１７】
外部ケーシングは、横ウェブによって、内部管状部分に接続され、横ウェブは、並進を案内するために、ネジリングの案内斜面と連携することができる。
【００１８】
あるいは、レセプタクルには、閉鎖部材を閉位置に保持するために、閉鎖部材上にスナップ嵌合で係合することができるフックが備えられたフレキシブルなタブが設けられることができ、これにより、このフレキシブルなタブをレセプタクルに対して押し込むと、閉鎖部材を外すことが可能になり、その閉鎖部材は、その後、レセプタクルに対して中間位置を占める。この中間位置で、閉鎖部材は、簡単な牽引によって、レセプタクルから分離することができる。
【００１９】
特に、装置が延長主軸を有する場合、フレキシブルなタブは、装置に対してこのタブにかけられた径方向圧力によって閉鎖部材を外すことが可能になるように、設計されている。
【００２０】
押しボタンは、この内部管状部分の区域の内部でスライド可能に挿入されたピストンに接続することができる。ピペットは、この内部管状部分の延長に取り付けることができる。
【００２１】
押しボタンは、スナップ嵌合でネジリング上に保持することができる。
【００２２】
バネは、使用者によって押しボタンにかけられた圧力がない状態で、ネジリングに対して軸方向の固定位置に押しボタンを保持するために、押しボタンと外部ケーシングとの間に張力をかけることができる。
【００２３】
ピペットの自由端には、例えば、フォームアプリケータ、コームアプリケータ、フェルトアプリケータ、またはさらに美容上許容できる液体を、肌または髪に塗布する任意の適切なアプリケータなどのアプリケータ部材を備えられることができる。
【００２４】
本発明は、以下の記述を読み、添付の図を検討することで、より理解されるであろう。これらの図は、単に例として示され、発明を決して限定するものではない。
【図面の簡単な説明】
【００２５】
【図１】閉位置にある本発明による装置の側面図である。
【図２】閉鎖部材が、レセプタクルから部分的に分離される位置にある本発明による装置の側面図である。
【図３】本発明による装置の閉鎖部材の分解斜視図である。
【図４】図１の装置の縦断面図である。
【図５】図２の装置の縦断面図である。
【図６】図５による閉鎖部材のネジリングの縦断面の斜視図である。
【図７】図６に示す断面ＶＩＩ−ＶＩＩの断面図である。
【図８】本発明による装置のレセプタクルのネックと連携する閉鎖部材のネジリングの詳細な側面図である。
【図９】閉位置にある本発明の第２の実施形態による装置の斜視図である。
【図１０】図９の装置の縦断面図である。
【図１１】図９の装置の代替実施形態の縦断面図である。
【発明を実施するための形態】
【００２６】
図１は、製品をパッケージングおよび分配するための装置１を示す。収容される製品は、ケアクリーム、デイクリームまたは抗しわクリームなどの化粧品が好ましい。製品は、流体状、好ましくは液体である。装置１は、市場で販売される前およびその後において、使用者によって使用される期間中、製品を収容し蓄えるためのレセプタクル２を備える。
【００２７】
収容した製品を保存するために、レセプタクルは、閉鎖部材３により閉鎖される。閉鎖部材３は、外部ケーシング４および押しボタン５を備える。押しボタン５は、図１において、退避位置にある。押しボタン５は、外部ケーシング４に対して、長手軸Ｘに沿って、軸方向にほんの少し突出する。あるいは、この退避位置において、押しボタンは、外部ケーシング４に完全に隠れ得る。
【００２８】
レセプタクル２は、例えばガラス製であり、または、熱可塑性材料からなる。レセプタクル２は、例えば、押出ブロー成形法から得ることができる。レセプタクル２は、複数の部品を組み立てることによって得ることもできる。レセプタクルの断面は、例えば、円形または楕円形である。レセプタクル２は、装置１の美的外観および全体の設計のため、トリムバンド６で覆われる。このトリムバンド６は、レセプタクル２と外部ケーシング４の少なくとも１つとの材料または色の対比を生成するために、異なる材料から作製することができる。特に、外部ケーシング４は、閉位置で、バンド６の縁と同一平面上にある。
【００２９】
図２は、外部ケーシング４とレセプタクル２との間の差動回転後の装置１を示す。外部ケーシング４は、トリムバンドから一定の距離ｄ１になるように、軸Ｘに沿って移動している。この中間位置で、押しボタン５は、外部ケーシング４の上縁７に対して、軸Ｘに沿う別の位置になる。押しボタンは、高さｄ２だけ突出し、図１の閉位置では、高さｄ３だけ突出する。押しボタンの進路は、最大で、ｄ２とｄ３との差である。ｄ２とｄ３とのこの差は、ｄ１と同等でも、または異なっていてもよい。図示の例では、ｄ１が、ｄ２とｄ３との差より小さい。
【００３０】
図３は、様々な部品の分解図を示し、これらの部品は、組み立てられて、閉鎖部材３を形成する。外部ケーシング４は、管状の形状であり、軸方向の一端に、径方向内側に延びるフランジ８を備える。この外部ケーシング４は、例えば、金属製である、または、金属効果を有するラッカー塗を外周に有することができる熱可塑性材料からなる。
【００３１】
閉鎖部材は、本体９を備える。この外部ケーシング４は、本体９に取り付けられる。本体９は、第１の外部管状部分１０および第２の内部管状部分１１を備える。２つの管状部分１０および１１は、少なくとも１つの材料ブリッジ１２によって、互いに接続される。本体９は、熱可塑性材料の射出によって生産されることが好ましい。材料ブリッジ１２は、明細書内で、軸Ｘに対して横の２つのウェブの形状をとる。これらの２つのウェブは、第２の内部管状部分１１の周りに、互いに径方向反対側にある。組立位置で、第１の外部管状部分１０の軸方向の一端部で、縁１３は、フランジ８に当接する。軸Ｘに沿って、軸方向反対側の端部で、この第１の管状部分１０は、外部ケーシング４の内周と緊密に接触するために、厚肉領域１４を有する。外部ケーシング４は、本体９に対して、軸方向の固定位置を有する。あるいは、この軸方向の固定位置は、接着またはスナップ嵌合によって得ることができる。
【００３２】
閉鎖部材３は、ネジリング１５も備える。このネジリング１５は、レセプタクルの外周に設けられた相補的ネジ山１７と連携するように設計されたネジ山１６を、局所的にその内周に設けた実質的に管状の形状を有する。特に、レセプタクル２は、製品を収容するためのこのレセプタクルに形成されたハウジングの断面より小さい断面を有するネック１８を備える。ネジ山１７は、このネック１８の周りに形成される。
【００３３】
ネジリング１５は、２つの直径方向に反対のスロット２０を備えたスカート１９を有する。スカート１９は、ネジ山１７を支える区域の延長に、軸方向に配置された実質的に管状の形状である。ネジリング１５は、横ウェブ１２がそれぞれこれらのスロット２０に配置されるように、本体９に対して取り付けられ、本体９は、ネジリング１５に対して並進可動である。
【００３４】
スカート１９は、この管状区域の内部に径方向に延びる斜端突起２１を有する。スカート１９にスロットがあるので、この突起２１によって、相補的部品の外周上のスナップ嵌合が可能になる。この場合、突起２１は、押しボタン５と連携する。この目的のため、押しボタン５は、ベアリング表面２３の周囲から延び、この突起２１の下でスナップ嵌合に係合するビード２４を有するスカート２２を備える。ビード２４は、連続する環状ネジ山である。ビードは、非連続であってもよい。ビードは、スカート２２の軸方向端部に配置される。押しボタン５のベアリング表面２３は、明細書内で、凸状のドームを形成する。
【００３５】
スカート２２は、スカート２２の外周から径方向に延びる環状突起２５を備える。環状突起２５は、ベアリング表面２３に連結したスカートの端部とビード２４を有する他端との中間の距離に配置される。閉鎖部材３は、明細書内でらせん状の形状をなすバネ２６を備える。このバネ２６は、環状突起２５と横ウェブ１２との間に保持される。
【００３６】
様々な部品を組み立てかつ閉鎖部材３をレセプタクル２上の閉位置に取り付けていないとき、押しボタン５は、バネ２６によって押し返され、その結果、環状突起２５は、フランジ８に当接するようになる。ビード２４と突起２１との接触によって、本体９内のネジリング１５の軸方向の可動の制限が可能になる。この位置で、押しボタン５は、外部ケーシング４から完全に延長される。使用者が、この外部ケーシング４内に押し返すように、押しボタン５を押すと、バネ２６は、圧縮され、押しボタンは、突起２１の自由縁２７が環状突起２５に当接するまで、スカート１９内でスライドする。
【００３７】
外部ケーシング４に対する押しボタン５の移動によって、製品を閉鎖部材３のピペット３１内に送り込むことができる。これは、押しボタンが、第２の内部管状部分１１内に配置されたピストン２８に連結されたためである。この内部管状部分１１は、チャネル３０によって延長されたプレート２９によって終了し、その結果、ピペット３１は、第２の内部管状部分１１内で開くために、チャネル３０のプレート２９によって保持されることとなる。ピペット３１の端部３２が、流体に浸かると、内部管状部分１１内のピストン２８の運動によって、流体がピペット３１に吸引され得る。
【００３８】
例えば、ピペット３１は、スナップ嵌合によって、プレート２９に保持される。ピペットは、例えば、ガラス製である。あるいは、ピペットは、熱可塑性材料からなることができる。ピペットの端部３２は、送り込まれた流体の重力による流れを制限するために、ピペットの内部断面に対する制限部を形成することができる。制限部は、製品を、毛管現象によって押しとどめることができる。
【００３９】
図６に示すように、横ウェブ１２は、プレート２９と実質的に同一の軸レベルに配置される。本体９の強度は、したがって、強化される。さらに、横ウェブ１２は、バネ２６の支持体として機能するので、図７に示すように、２つの厚肉領域によって強化される。これらの厚肉領域は、図６に示すように、断面Ｕ字構造をもたらす。これは、横ウェブ１２が、バネの永久伸張、より具体的には、押しボタン５の作動ごとにかかる過剰圧力に持ちこたえなければならないためである。
【００４０】
図６に示すように、チャネル３０の内周は、ピペットと接触するための密封手段３３を有する。この密封手段は、明細書内で、ピペット３１の外周に漏れがなく接触するように設計された環状ダブルリップによって形成される。
【００４１】
例えば、ピストン２８は、例えばポリエチレンなどの材料からなる。ピストンは、押しボタンの中空スタブ３５の周囲に取り付けられたチューブ３４を備える。この中空スタブ３５は、ベアリング表面２３からスカート２２の内部に延びる。ピストン２８は、チューブ３４から径方向に突出するフランジ３８にそれぞれが接続された２つのリップ３６および３７を備える。リップ３６および３７は、軸Ｘに沿って、軸方向反対側にある。それらのリップは、第２の内部管状部分１１の内周と二重の漏れがない環状接触を提供する。
【００４２】
図４において、閉鎖部材３は、閉位置にある。ネジリング１５は、ネック１８上に完全に螺合される。チャネル３０は、ネック１８に挿入される。チャネルは、ネックに保持されたドライヤ３９と漏れないように接触する。このドライヤ３９は、閉鎖部材３をレセプタクル２から引き離す際にピペット３１を乾燥するように設計される。ネック１８上のネジリング１５の螺合により、押しボタンは、軸Ｘに沿って並進し、ビード２４は、横ウェブ１２に接触し、これにより、横ウェブのスロット２０に沿う動きを制限する。ネック１８上で閉鎖部材３を螺合する間、本体９のネジリング１５に対する相対運動は、密封リップ３６のプレート２９との当接によっても制限される。閉位置で、バネ２６は、圧縮され、押しボタンは、外部ケーシング４に対して退避位置にある。
【００４３】
ネック１８に対して閉鎖部材３を螺合解除する間、この動作は、ネジリング１５に対する回転で固定化された外部ケーシング４の回転によって得られ、ウェブ１２とスロット２０との連携のため、本体９は、バネ２６の影響下で、ネジリングに対して、軸Ｘに沿って移動する。この並進は、環状突起２５とフランジ８との当接によって、および／または、横ウェブ１２のスロット２０の底部４０との当接によって制限される。閉鎖部材は、その時、押しボタンがその使用位置に達した中間位置にある。
【００４４】
収集位置で、押しボタン５は、ケーシング４から最大の程度まで突出する。しかしながら、ネック１８に対して閉鎖部材３を螺合解除が終了しない場合がある。これは、第１の螺合解除によって、閉鎖部材を閉位置からこの中間位置まで移動させるからであり、次いでさらなる螺合解除によって、閉鎖部材は、この中間位置からネック１８から完全に分離される位置まで移動することができる。第１の螺合解除は、例えば、１回転で行われ、さらなる螺合解除は、半回転で行われる。閉鎖部材３は、中間位置が分離される位置にあるように、ネック１８と連携するように設計することもできる。
【００４５】
図８は、ネック１８によって提供されるレリーフ４１と連携して当接を形成することを可能にするネジリング１５の詳細を示す。ネジリングは、突起２１と反対の軸方向に、ネジ山１６を備えた管状区域から突出するレリーフ４２を有する。この当接に達する前に、フルートが設けられ、それにより、閉鎖部材３の不適当な螺合解除を回避し、このフルートが通過すると、正しい閉鎖に達したことを示す音を発することができる。
【００４６】
押しボタンの作動ごとに、ほぼ数ミリリットル程度の１用量の製品の収集が可能になる。ピペット３１内に収集された製品は、押しボタン５を、外部ケーシング４に対して駆動することによって、解放される。
【００４７】
図９に示した第２の実施形態において、レセプタクル２は、フレキシブルなタブ１０１が突出するリング１００によって覆われる。このフレキシブルなタブ１０１は、閉鎖部材を閉位置に保持するために、閉鎖部材３と連携する。このフレキシブルなタブ１０１に対して閉鎖部材を外すことを得るために、使用者は、タブ１０１が外れるまで、径方向の押込圧力をかけなければならず、バネ２６の推力の影響下で、閉鎖部材３の外部ケーシング４は、軸Ｘに沿ってわずかに並進移動する。
【００４８】
この実施形態において、ネックは、図１から図８を参照して、上記の第１の実施形態で設けられたネジ山の代わりに、環状ビード１０２が設けられる。リング１００はネックの周りに係合され、かつリングをレセプタクル２に対して軸方向に固定化するために、環状ビード１０２と連携することができるレリーフ１０４を内周上に有する管状部分１０３を備える。
【００４９】
フレキシブルなタブ１０１は、管状部分１０３のジャケット表面に形成される。フレキシブルなタブ１０１は、リング１００に軸方向に固定化されて保持された第２のリング１０５が保持する垂直ファセットを備える。この第２のリング１０５の柔軟性によって、垂直ファセットに必要な可動性が与えられ、これにより、垂直ファセットが径方向に押し込まれることが可能になり、相補的レリーフから外されることが可能になる。
【００５０】
この第２の実施形態において、ネジ山の代わりに、閉鎖部材３は、閉位置でフレキシブルなタブ１０１と連携するための環状凹部を備える。特に、この環状凹部は、示した例の第１の実施形態の本体９とは異なってなる本体１０９に形成される。これは、ここでの本体１０９が第２の内部管状部分１１１に接続されない第１の外部管状部分１１０を備え、これらの２つの管状部分１１０および１１１がここで互いに対して並進可動であるためである。
【００５１】
こうして、使用者が、フレキシブルなタブ１０１を押し込むと、押しボタン５と管状部分１１１との間に保持されたバネ２６は、推力を及ぼし、その結果、押しボタンそれ自体がケーシング４の内部に当接するので、ケーシング４および外部管状部分１１０は、軸Ｘに沿ったわずかな並進運動で駆動され、同時にピペット３１および内部管状部分１１１は、レセプタクル２に対して軸方向の固定位置のままとなる。
【００５２】
この外された位置において、閉鎖部材３は、レセプタクル上にとどまり、緊密な環状接触部１０６は、フレキシブルなタブ１０１が不測に作動した場合であっても、製品を保存する漏れ止めを保証するために、ドライヤ３９とピペット３１の間に維持される。使用者がそのような装置を手提げバッグに入れている際に、偶発的に作動するリスクによって、その後塗布される製品の品質にダメージを与えてはならない。
【００５３】
使用者が、レセプタクルに対して並進牽引を及ぼすことによって、閉鎖部材を引き離すときにだけ、バネ２６は、内部管状部分１１１が外部管状部分１１０に対して第２の軸位置を取るまで、推力を継続する。この引き離しに対して、使用者は、ピペットとドライヤの間に存在する摩擦力を抑えるためにわずかな努力が必要となる。この相対運動の間、ピストン２８は、内部管状部分１１１内で漸進的に上昇し、これにより、ピペットを液体で満たすことに寄与する。閉鎖部材３の完全に分離された位置において、使用者は、その時、製品であらかじめ満たされたピペットも有することになる。
【００５４】
図１１から分かるように、ピペット３１は、チャネル３０の内部に取り付けられ、かつ内部管状部分１１１の反対側のチャネル３０の自由端から挿入される。
【００５５】
明細書全体を通して、「を備え」という表現は、その他の点が特定されない限り、「少なくとも１つを備え」と同義であるとみなされるべきである。
【符号の説明】
【００５６】
１  パッケージング／分配装置、２  レセプタクル、３  閉鎖部材、４  外部ケーシング、５  押しボタン、６  トリムバンド、７  上縁、８  フランジ、９  本体、１０  第１の外部管状部分、１１  第２の内部管状部分、１２  材料ブリッジ、横ウェブ、１３  縁、１４  厚肉領域、１５  ネジリング、１６  ネジ山、１７  相補的ネジ山、１８  ネック、１９  スカート、２０  スロット、長手案内斜面、２１  斜端突起、２２  スカート、２３  ベアリング表面、２４  ビード、２５  環状突起、２６  バネ、２７  自由縁、２８  ピストン，ピストンポンプ、２９  プレート、３０  チャネル、３１  ピペット、３２  ピペットの端部、３３  密封手段、３４  チューブ、３５  中空スタブ、３６  密封リップ、３７  リップ、３８  フランジ、３９  ドライヤ、４０  スロットの底部、４１  レリーフ、４２  レリーフ、１００  リング、１０１  フレキシブルなタブ、１０２  環状ビード、１０３  管状部分、１０４  レリーフ、１０５  第２のリング、１０６  緊密な環状接触部、１０９  本体、１１０  第１の外部管状部分、１１１  第２の内部管状部分
【図１】
0005922108.tif 000002
【図２】
0005922108.tif 000003
【図３】
0005922108.tif 000004
【図４】
0005922108.tif 000005
【図５】
0005922108.tif 000006
【図６】
0005922108.tif 000007
【図７】
0005922108.tif 000008
【図８】
0005922108.tif 000009
【図９】
0005922108.tif 000010
【図１０】
0005922108.tif 000011
【図１１】
0005922108.tif 000012